(57)【要約】      （修正有）【課題】埃の混入を抑え、気泡の混入を抑え、貼るべき位置に貼りやすくなる構造を持った表面保護シートを提供する。【解決手段】表面保護シートの密着層や粘着層を保護するセパレートフィルムの裏に両面粘着性のある層を有する。【選択図】図１
0003175046.tif 000002
【実用新案登録請求の範囲】
【請求項１】
表面保護シートの密着層や粘着層の保護層であるセパレートフィルムの外側一部分に両面粘着性のある層を有する表面保護シート。
【考案の詳細な説明】
【技術分野】
【０００１】
本案件は本体を保護するためにその表面に貼り付ける各種保護シートに係り、保護したい面に保護シートを貼り付ける際、埃の混入や気泡の混入を最小限に防ぎ、なおかつ貼る時の位置決めが容易に出来る機能を有する保護シートに関する。
【背景技術】
【０００２】
一般に、本体を傷つきから防止するために施す表面保護シートにおいて、パソコン・ゲーム機・テレビ・携帯電話・スマートフォン・カーナビゲーション・自動販売機・医療機器・券売機などの液晶画面を保護するシート、窓ガラス・鏡・冷蔵庫・ピアノなどの表面を傷から保護するシートなど、様々な分野でその本体部分を傷や汚れから守るために、保護シートや保護フィルムまたは保護シールなどの呼び名を付けられ開発され、幅広く使用され、仕事や生活で必要不可欠な物となっている保護体があるが、その貼り付け方に関しては特別な工夫を施したものがほとんど無かった。
【０００３】
利用範囲が広範に及ぶため、代表例として液晶保護シートを中心に説明用参考対象物として説明するが、この説明は前述にもある全ての表面保護用機能を有する製品に当てはまる。
【０００４】
昨今はスマートフォンと言われる携帯型電話の普及や、タブレット型パソコンの普及が目覚ましく、液晶画面を使う頻度が非常に高くなり、傷や汚れから液晶画面そのものを保護するだけの機能としての保護シートは数多く使われる様になってきているが、液晶画面そのものに対する効果に止まっており、その貼り方に関する考察が不十分で、一般消費者の貼り方技術の良し悪しで、液晶画面本体と液晶保護シートの間に、多くの埃や気泡として残る空気の混入を防ぐことが難しかった。
【０００５】
液晶画面の大型化、また保護シートが複雑な形を必要とするようになり、その一部にマイクやスピーカー用の小さな穴がある特殊な形状が施され、液晶画面の本来貼り付けたい位置に正確に合わせて貼ることが非常に困難になって来ていた。
【０００６】
本考案は、こうした人間の属人的な貼り方技術の差による、保護シートの貼り付け不良を解消するために考案した保護用シートであるが、代表して液晶保護シートについて調べてみても、これまでにも各種の提案がなされてきたが、その他の保護体についてはほとんど考案されていなかった。本考案はそれらの保護を必要とする物体を保護するための全ての保護シートに応用できる特徴を有する。
【先行技術文献】
【特許文献】
【０００７】
【特許文献１】特開２０１１−２１９６８５
【特許文献２】実登３１５３６０５
【特許文献３】特開２００６−１４５９１８
【考案の概要】
【考案が解決しようとする課題】
【０００８】
上述した特許文献の考案では、被着体となる液晶画面と密着させる液晶保護シートの、実際に貼り付けるまで密着層や粘着層の保護層であるセパレートフィルムに特徴を加え、液晶保護シートを液晶画面に貼り付ける際の、気泡や埃の混入抑制や貼りやすさを実現させている。しかし貼り付ける際に剥がして廃棄してしまうセパレートフィルムを特殊な機能を持つ種類な物に交換しなければならず、その工程途中で埃の混入の危険性を否定できない事や、その実現のための手間とコストが解決されていない。
【０００９】
廃棄してしまうセパレートフィルムに折り目やミシン目を入れるか、又は切り離してしまうことで、液晶保護シートを貼り付ける際に埃混入抑制や貼りやすさを実現させている方法は、そのセパレートフィルム製造時や加工時に、手間やコストがかかり、目的とする効果を実現するまでに煩雑な作業工程が必要となり、またセパレートフィルムを切断したり、重ねたり、折り目を入れることで、密着層として使われているシリコーン層又はアクリル粘着層又はウレタン密着層そのものに影響を与え、密着材の残痕や変性の可能性を否定できない問題がある。
【００１０】
液晶画面を有する機器そのものの構造にあわせてセパレートフィルム付き液晶保護シートを製造する場合には、被着体である機器が限定され、限定された機種用に製造された製品においては他の機種に応用することが全く出来ないという問題が生じるため、汎用性が満たされず、広く社会に貢献できる方法とは言えない側面がある。
【００１１】
本考案では、上記のような特殊機能を持つセパレートフィルムに交換しなければならない問題、各種密着層に与える影響の問題、機種に依存してしまう汎用性の問題、実現するまでにかかる手間とコストの問題を全て解決した上で、目的とする埃混入の抑制、気泡混入の抑制、本来貼るべき位置からずれてしまう問題の防止を実現する方法を提供することにある。
【課題を解決するための手段】
【００１２】
保護シートを被着体に貼る場合には、密着層や粘着層を保護するセパレートフィルムを全て剥がして貼る方法と、一部を剥がして、被着体との位置を決めた後残ったセパレートフィルムを剥がしながら貼る方法がある。
【００１３】
前者は一度にセパレートフィルムを全て剥がし密着層や粘着層をむき出しにしてしまうため、貼り付ける際には保護シートと被着体の間に埃や気泡が入りやすく、むき出しになった密着層や粘着層をじかに手で触ってしまうことが発生しやすく、密着層や粘着層を汚し傷つけてしまう可能性があり、更には被着体の正しい位置への貼り付けも、意図しない位置で密着層や粘着層が被着体と接触してしまう可能性があるので、非常に困難となる。
【００１４】
後者は本案件が採用している手法であり、このようにセパレートフィルムの一部を剥がすと、密着層や粘着層がむき出しになる部分と、むき出しになっていない部分が確保できる為、むき出しになっていない部分を被着体に接触させることで、被着体上を自由に動かす事が出来、容易に位置決めが可能となり、密着層や粘着層への埃や傷などの悪影響を最小限に抑えることが出来る。
【００１５】
しかし、後者の方法だけでは、弾力性を持つセパレートフィルムが元に戻ろうとする力で、貼り付けのために剥がした一部のセパレートフィルムが元に戻りやすく、再度剥がしていない状態に復元してしまう事態が発生しやすく、繰り返しセパレートフィルムの剥離作業を行わなければならない。
【００１６】
そこで本考案は、保護シートが直接被着体に貼りつく密着層や粘着層を保護するセパレートフィルムの更に外側に、両面テープを施すことにより、保護シートを被着体に貼り付ける際に一度部分的に剥がしたセパレートフィルムを固定する効果を持ち、このことが保護シートを、被着体により正確に正しい位置に貼り付けやすくし、セパレートフィルムを剥がしながら貼ることで、埃の混入や気泡の混入を防ぐ効果を誰にでも容易に安価に発揮することが出来る。
【００１７】
両面テープを施す位置は、保護シートの密着層や粘着層を保護するセパレートフィルムの外側ならどこでも良いが、被着体と保護シートの間に埃が入りにくいようにするためには、実際の作業者が密着層や粘着層のセパレートフィルムをめくり、折り返した時に保護シートが被着体に貼り付けしやすいようなサイズが良く、本考案では図２の様に密着層や粘着層の一部だけがむき出しになるサイズは、保護シートを貼り付ける作業者が任意で決めることが出来るため、作業者が作業しやすいサイズを決めることが可能となり、作業者に貼り方の制約でストレスを感じさせることを解消している。
【考案の効果】
【００１８】
本考案を施した保護シートは、密着層や粘着層がむき出しになるサイズを作業者の希望に合わせつつ最小限に抑えることが出来ることから、貼り付け途中での埃の混入を最小限に抑制する効果を有する。
【００１９】
セパレートフィルムを折り返して両面粘着層で固定することから、密着層や粘着層をむき出しにした部分とむき出しにしていない二つの部分が、手の力で保持しなくても同時に存在させることが出来るため、この状態で密着層や粘着層をむき出しにしていない部分を被着体に接触させ、位置の移動が可能な状態で保護シートを正しい位置に容易に合わせる事ができ、その時図３のように密着層や粘着層をむき出しにした部分の上部から押さえることで、図４のように目標とした正しい位置に密着層や粘着層を接触させ、保護シートを被着体の確かな位置に固定することが可能となる。
【００２０】
貼り付け位置を決めた後、むき出しにした一部の密着層や粘着層を先に被着体に貼り付け、位置を固定させ、その後徐々にセパレートフィルムを剥がしながら被着体へ貼り付けていく貼り付け方法が自然と実行されるため、この事は保護シートを一方から順に貼り付けていく流れになるため、気泡の混入を最小限に抑えることが出来る。
【００２１】
この方法で施された保護シートは、埃や気泡混入の防止、正しい貼り位置の決定だけに止まらず、被着体への傷防止効果や汚れ防止効果も合わせもつ。
【００２２】
本考案はどの様な形の保護シートへも応用することができ、本考案が施されていない保護シートへの応用も容易にできる。
【００２３】
この考案ではセパレートフィルムを交換する必要がないため、密着層や粘着層とセパレートフィルムの間にセパレートフィルム交換時に埃の混入の可能性が無く、折り目を入れたり、ミシン目を入れたりする必要が全く無いため、密着層や粘着層への折ぐせやミシン目跡を残すことが無く、保護シートを最良の状態で保持でき、実際の使用時には、最も良好な状態で使うことが出来る。
【００２４】
この考案を備えた保護シートを使用することで、埃の混入の抑制、気泡の混入の抑制、正確な貼り位置の決定、被着体への傷防止、被着体への汚れ付着の防止を実現することが、今までの発明や考案と比較してより安価に、更には保護シートを限定することなく、この考案が施されていない保護シート全てに容易に施すことが出来る、非常に汎用性の高い、社会貢献の効果が高い保護シートを実現させることが出来る。
【図面の簡単な説明】
【００２５】
【図１】側面から見た表面保護シートの模式図。
【図２】密着層や粘着層の保護層を折り返し両面密着層で貼り付け、密着層や粘着層を一部露出させた状態を側面から見た表面保護シートの模式図。
【図３】図２を実際に被着体に貼り付ける直前の、まだ密着層や粘着層が露出していて被着体に接触していない状態の側面から見た表面保護シートの模式図。
【図４】図３の露出した密着層や粘着層の部分を上から押さえ、被着体に接触させた状態の側面から見た表面保護シートの模式図。
【図５】本考案の保護シートを被着体に完全に接触させた状態の、密着層や粘着層の保護層が取り除かれた、側面から見た表面保護シートと被着体の模式図。
【考案を実施するための形態】
【００２６】
密着層や粘着層の保護層の外側に両面粘着層を構造化する事で、本考案の効果を得られる表面保護積層シートを実現できる。
【実施例】
【００２７】
図１にある符号５の両面粘着層の保護層を剥がし、符号３の密着層や粘着層の保護層を部分的に剥離し折り曲げ、むき出しになった符号４の両面粘着層を符号３の密着層や粘着層の保護層に貼り付ける事で、両面粘着層付き表面保護積層シートの利用準備ができ、それを被着体に貼り付ける事で、簡単に本案件で表現している表面保護の効果を実施できる。
【産業上の利用可能性】
【００２８】
本考案は一般的に知られている表面保護シート基材と密着層や粘着層とその保護層に加えて両面粘着層を構造化する事だけで得られる考案であるため、手間がかからず低いコストで容易に製造できるため、新規製造時に構造的に製造する事はもちろん、既存の商品にも容易に応用出来るため、広く社会に貢献できる効果を持った製品を簡単に作る事が出来る。
【符号の説明】
【００２９】
1・・・表面保護シート基材層
２・・・密着層や粘着層
３・・・密着層や粘着層の保護層
４・・・両面粘着層
５・・・両面粘着層の保護層
６・・・密着層や粘着層を被着体へ接触させるための場所
７・・・被着体
【図１】
0003175046.tif 000003
【図２】
0003175046.tif 000004
【図３】
0003175046.tif 000005
【図４】
0003175046.tif 000006
【図５】
0003175046.tif 000007